(57)【特許請求の範囲】
【請求項１】
電源から電気の供給を受けるレセプタクルと、電動装置に電気を供給するプラグとを電気的な接続させ、それにより前記電源から前記電動装置への電気の供給を実現する接続機構であって、
前記プラグは、受電端子を具備し、前記レセプタクルは、給電端子を具備し、前記受電端子と前記給電端子とは、互いに面接触することにより電気的に接続可能であり、前記給電端子と面接触可能な前記受電端子の端子面が、前記受電端子と接触可能な前記給電端子の端子面よりも面積が大きい平板であり、前記プラグは、受電側連結面を具備し、前記レセプタクルは、給電側連結面を具備し、前記受電側連結面は、前記受電端子を取り囲むように配置されており、前記給電側連結面は、前記給電端子を取り囲むように配置されおり、前記受電側連結面と前記給電側連結面とは、互いに面接触可能であり、前記受電端子と前記給電端子とが互いに電気的に接続するとき、前記受電側連結面と前記給電側連結面とが互いに面接触するように構成されていることを特徴とする、電気供給のための接続機構。
【請求項２】
前記給電側連結面は、シート部材を備えており、前記受電側連結面と前記給電側連結面とは、前記シート部材を介して面接触可能であり、前記給電側連結面の法線方向において、前記給電端子が前記シート部材よりも外側に突出していることを特徴とする、請求項１に記載の、電気供給のための接続機構。
【請求項３】
前記受電側連結面は、シート部材を備えており、前記受電側連結面と前記給電側連結面とは、前記シート部材を介して面接触可能であり、前記受電側連結面の法線方向において、前記受電端子が前記シート部材より外側に突出しないように構成されていることを特徴とする、請求項１または２に記載の、電気供給のための接続機構。
【請求項４】
前記受電側連結面の法線方向において、前記受電端子が移動不能であり、前記給電端子が弾性的に移動可能であることを特徴とする、請求項１から３のいずれかに記載の、電気供給のための接続機構。
【請求項５】
前記プラグは、短絡用部材を具備し、前記レセプタクルは、連結検知用端子を具備し、前記短絡用部材と前記連結検知用端子とは、互いに電気的に接続可能であり、前記短絡用部材は平板であることを特徴とする、請求項１から４のいずれかに記載の、電気供給のための接続機構。
【請求項６】
前記プラグは、受電側連結面を具備し、前記レセプタクルは、給電側連結面を具備し、前記受電側連結面は、前記短絡用部材を取り囲むように配置されており、前記給電側連結面は、前記連結検知用端子を取り囲むように配置されおり、前記受電側連結面と前記給電側連結面とは、互いに面接触可能であり、前記受電端子と前記給電端子とが互いに電気的に接続するときまたは前記短絡用部材と前記連結検知用部材とが互いに電気的に接続するとき、前記受電側連結面と前記給電側連結面とが互いに面接触するように構成されていることを特徴とする、請求項５に記載の電気供給のための接続機構。
【請求項７】
前記レセプタクルが、前記給電側連結面の法線方向における前記プラグの接近と離隔に対応して開閉可能な蓋を備えていることを特徴とする、請求項１から６のいずれかに記載の、電気供給のための接続機構。
【請求項８】
前記プラグが、前記電動装置を備える物品に対する取り付けを着脱可能にするための着脱機構を備えており、前記着脱機構は、着脱可能なハンドル部材により動作する機構であることを特徴とする、請求項１から７のいずれかに記載の、電気供給のための接続機構。
【請求項９】
前記プラグが、作業者が手で把持するための把持部材を備えることを特徴とする、請求項８に記載の、電気供給のための接続機構。
【発明の詳細な説明】
【技術分野】
【０００１】
この発明は、電源から電気の供給を受けるレセプタクル（給電装置）と、電動装置に電気を供給するプラグ（受電装置）とを電気的に接続させ、それにより前記電源から前記電動装置への電気の供給を実現する接続機構に関するものである。
【０００２】
なお、次に掲げる用語の意味または解釈は、以下の通りとする。
【０００３】
「プラグ」は、電動装置を備える物品に着脱可能に取り付けられる装置であっても、電動装置を備える物品に固定される装置であってもよい。
【０００４】
「電動装置」とは、広く電気で動作する装置をいい、電気で動作するものである限り、例えば冷却装置、冷凍装置、加熱装置その他の温度調節装置、湿度調節装置、回転装置などが該当する。
【０００５】
「電動装置を備える物品」の典型例は、蓄電池を備える車両、空調装置を備える家屋、冷凍装置や冷房装置を備えるコンテナ（冷却用コンテナ）である。
【背景技術】
【０００６】
電源から電気の供給を受けるレセプタクルと、電動装置に電気を供給するプラグとを電気的に接続させ、それにより前記電源から前記電動装置への電気の供給を実現する接続機構として、電動装置を備える物品に着脱可能に取り付けられたプラグにレセプタクルを電気的に接続する機構が知られている。すなわち、冷却用コンテナに着脱可能に設置されるプラグに電気的に接続可能なレセプタクルを、その冷却用コンテナが配置されるコンテナ貯蔵棚に備えており、その電気的な接続により、冷却用コンテナが備える電動装置の動作に必要な電気を供給する電気供給機構が知られている（特許文献１から３参照）。
【０００７】
なお、コンテナ貯蔵棚は、例えば、コンテナ倉庫内に立体的に複数個、構築されており、冷却用コンテナは、コンテナ搬送装置により任意の又は少なくとも一部の区域にあるコンテナ貯蔵棚に収容され、かつ取り出すことができるようになっている。
【０００８】
上記の電気供給機構においては、冷却用コンテナが所定のコンテナ貯蔵棚に配置される前に、その冷却用コンテナにプラグが取り付けられ、その後、プラグが取り付けられた冷却用コンテナが当該コンテナ貯蔵棚がある場所に搬送され、当該コンテナ貯蔵棚に収容される際、プラグとレセプタクルとが電気的に接続されて、電動装置の動作に必要な電気が供給される（特許文献１の段落００４８、図１参照）。
【０００９】
また、上記の電気供給機構は、プラグが具備する受電端子とレセプタクルが具備する給電端子とを嵌合させることにより両装置を電気的に接続する接続機構を備える。この接続機構においては、受電端子は、鉛直方向下向きに開口した凹状をしており、給電端子は、上向きに凸状をしており、凹状の受電端子と凹状の給電端子とが互いに嵌合するように構成され、これによりプラグは、レセプタクルに上方から連結される。そして、レセプタクルは、給電端子をＸ、Ｙ、Ｚの三方向に移動可能に支持する調心機構を備えているので、凹状の受電端子と凸状の給電端子との位置合わせとそれに基づく嵌合が適切に行われる（特許文献２の図１０、図１４参照）。
【先行技術文献】
【特許文献】
【００１０】
【特許文献１】特開２０１０−１０８７１２号公報
【特許文献２】特開２０１０−１０８７１３号公報
【特許文献３】特開２０１０−１０８７１４号公報
【発明の概要】
【発明が解決しようとする課題】
【００１１】
しかし、上記の接続機構では、凹状の受電端子と凸状の給電端子との上下方向の相対的移動と嵌合によりプラグとレセプタクルとが電気的に接続されるので、レセプタクルは、両端子の位置合わせのために、複雑な移動動作を行う調心機構を必要とし、それを備えるが故に、構造が複雑になり、その分大型化する。また、プラグは、これを床面などに配置することが難くなり、保管もし難くなり、これを取り扱う作業者の負担を増加させる。このような課題を抱える電気供給機構は、総じて配置や設置が面倒で保守や管理が難しく、故障の機会も多くなる。
【００１２】
この発明は、以上の問題に鑑みてなされたものであり、構造が比較的簡単で、配置や設置がし易く、保守や管理もし易い、電気供給のための接続機構を提供することを目的とする。
【課題を解決するための手段】
【００１３】
上記目的を達成するための、この発明の第１の形態に係る電気供給のための接続機構は、電源から電気の供給を受けるレセプタクルと、電動装置に電気を供給するプラグとを電気的な接続させ、それにより前記電源から前記電動装置への電気の供給を実現する接続機構であって、前記プラグは、受電端子を具備し、前記レセプタクルは、給電端子を具備し、前記受電端子と前記給電端子とは、互いに面接触することにより電気的に接続可能であり、前記給電端子と面接触可能な前記受電端子の端子面が、前記受電端子と接触可能な前記給電端子の端子面よりも面積が大きい平板であり、前記プラグは、受電側連結面を具備し、前記レセプタクルは、給電側連結面を具備し、前記受電側連結面は、前記受電端子を取り囲むように配置されており、前記給電側連結面は、前記給電端子を取り囲むように配置されおり、前記受電側連結面と前記給電側連結面とは、互いに面接触可能であり、前記受電端子と前記給電端子とが互いに電気的に接続するとき、前記受電側連結面と前記給電側連結面とが互いに面接触するように構成されている、ことを特徴とする。
【００１４】
この発明の第２の形態に係る電気供給のための接続機構は、第１の形態に係る接続機構であって、前記給電側連結面は、シート部材を備えており、前記受電側連結面と前記給電側連結面とは、前記シート部材を介して面接触可能であり、前記給電側連結面の法線方向において、前記給電端子が前記シート部材よりも外側に突出している、ことを特徴とする。
【００１５】
この発明の第３の形態に係る電気供給のための接続機構は、第１または第２の形態に係る接続機構であって、前記受電側連結面は、シート部材を備えており、前記受電側連結面と前記給電側連結面とは、前記シート部材を介して面接触可能であり、前記受電側連結面の法線方向において、前記受電端子が前記シート部材より外側に突出しないように構成されている、ことを特徴とする。
【００１６】
この発明の第４の形態に係る電気供給のための接続機構は、第１から第３のいずれかの形態に係る接続機構であって、前記受電側連結面の法線方向において、前記受電端子が移動不能であり、前記給電端子が弾性的に移動可能である、ことを特徴とする。
【００１７】
この発明の第５の形態に係る電気供給のための接続機構は、第１から第４のいずれかの形態に係る接続機構であって、前記プラグは、短絡用部材を具備し、前記レセプタクルは、連結検知用端子を具備し、前記短絡用部材と前記連結検知用端子とは、互いに電気的に接続可能であり、前記短絡用部材は平板である、ことを特徴とする。
【００１８】
この発明の第６の形態に係る電気供給のための接続機構は、第５の形態に係る接続機構であって、前記プラグは、受電側連結面を具備し、前記レセプタクルは、給電側連結面を具備し、前記受電側連結面は、前記短絡用部材を取り囲むように配置されており、前記給電側連結面は、前記連結検知用端子を取り囲むように配置されおり、前記受電側連結面と前記給電側連結面とは、互いに面接触可能であり、前記受電端子と前記給電端子とが互いに電気的に接続するときまたは前記短絡用部材と前記連結検知用部材とが互いに電気的に接続するとき、前記受電側連結面と前記給電側連結面とが互いに面接触するように構成されている、ことを特徴とする。
【００１９】
この発明の第７の形態に係る電気供給のための接続機構は、第１から第６のいずれかの形態に係る接続機構であって、前記レセプタクルが、前記給電側連結面の法線方向における前記プラグの接近と離隔に対応して開閉可能な蓋を備えている、ことを特徴とする。
【００２０】
この発明の第８の形態に係る電気供給のための接続機構は、第１から第７のいずれかの形態に係る接続機構であって、前記プラグが、前記電動装置を備える物品に対する取り付けを着脱可能にするための着脱機構を備えており、前記着脱機構は、着脱可能なハンドル部材により動作する機構である、ことを特徴とする。
【００２１】
この発明の第９の形態に係る電気供給のための接続機構は、第８の形態に係る接続機構であって、前記プラグが、作業者が手で把持するための把持部材を備える、ことを特徴とする。
【発明の効果】
【００２４】
この発明の第１の形態によれば、受電端子と受電端子との面接触によりプラグとレセプタクルとが電気的に接続する。そして、給電端子と接触可能な受電端子の端子面は、受電端子と接触可能な給電端子の端子面よりも面積が大きい平板なので、受電端子と給電端子との位置合わせの際に多少の位置のずれが生じても問題にならなず、正確な位置合わせに必要となる調心機構を設けるまでもなくなる。従って、プラグおよびレセプタクルは、何れも従来に比して構造が簡単になり、特にレセプタクルはより小型になるので、配置や設置を容易にし、故障の機会を低減し、保守や管理の負担を軽減することができる。
【００２５】
この発明の第１の形態によれば、受電側連結面は、受電端子の周囲を囲むように配置され、給電側連結面は、給電端子の周囲を囲むように配置されているので、両連結面が面接触するとき、両端子の接触部が外部から遮蔽され、従って、受電端子と受電端子との面接触を安全に維持することができる。この遮蔽により、両端子の接触部における防塵性や防水性も高めることもできる。
【００２６】
この発明の第２の形態によれば、受電側連結面と前記給電側連結面とがシート部材を介して面接触可能なので、受電端子と給電端子との接触部が外部からの遮断がより確実なものとなり、防塵性や防水性もより高めることができ、両端子のより安全な接触を維持することができる。また、給電端子は、給電側連結面に取り付けてあるシート部材よりも外側に突出しているので、受電側連結面と前記給電側連結面とがシート部材を介して面接触する場合であっても受電端子との面接触を確保することができる。
【００２７】
なお、シート部材は、滑り止めの機能も果たす素材、例えばゴムにより構成されていることが好ましい。プラグを棚や床に置いたときの滑りや落下の防止に役立つからである。
【００２８】
この発明の第３の形態によれば、受電側連結面と前記給電側連結面とがシート部材を介して面接触可能なので、受電端子と給電端子との接触部が外部からの遮断がより確実なものとなり、防塵性や防水性も更に高めることができ、両端子のより安全な接触を維持することができる。また、受電端子は、受電側連結面に取り付けてあるシート部材よりも外側に突出しないように構成されているので、端子面が外部の物品と衝突し難く、疵付くことを防止することができる。受電端子の端子面は、平板なので、外部の物品と衝突し難く、疵が付きにくいことは、給電端子との面接触を長期にわたり維持でき、保守・管理も容易になるという点で重要である。
【００２９】
総じて、第２および第３の形態によれば、受電端子と給電端子との面接触を堅持しつつ、電気供給のための接続機構の保守・管理の負荷低減と長寿命化を実現することができる。
【００３０】
この発明の第４の形態によれば、受電側連結面の法線方向において、受電端子は、移動不能なので、プラグの構造を簡素にすることができ、当該法線方向において、給電端子は、弾性的に移動可能であるので、両端子間の接触、ひいてはプラグとレセプタクルとの電気的な接続は、確実なものとなり、電動装置の動作に必要な電気を安全に供給することができる。なお、給電端子は、弾性的に移動可能にするには、例えば、レセプタクル本体と給電端子との間にばね部材を装填すれば良い。
【００３１】
この発明の第５の形態によれば、プラグが具備する短絡用部材とレセプタクルが備する連結検知用端子とが接触して導通したときレセプタクルからプラグに電動装置の動作に必要な電気が供給されるので、電動装置の動作に必要な電気を安全に供給することができる。
【００３２】
この発明の第６の形態によれば、受電側連結面は、短絡用部材の周囲を囲むように配置され、給電側連結面は、連結検知用端子の周囲を囲むように配置されているので、両連結面が面接触するとき、短絡用部材と連結検知用端子との接触部が外部から遮蔽され、従って、短絡用部材と連結検知用端子との導通を確実に検知することができ、また当該接触部を安全に維持することができる。
【００３３】
この発明の第７の形態によれば、受電側連結面の法線方向において、短絡用材は、移動不能ゆえ可動部は不要となり、当該法線方向において、連結検知用端子は、弾性的に移動可能であるので複雑な可動部を必要としない。この結果、プラグおよびレセプタクルのいずれの構造も簡素になる。
【００３４】
この発明の第８の形態によれば、レセプタクルがプラグの接近と離隔に対応して開閉する蓋を備えているので、その蓋により、給電端子の外部への露出を極力回避することができる。
【００３５】
給電側連結面に取り付けてあるシート部材よりも外部に給電端子が突出するように構成されている場合（第２の形態参照）には、給電端子の外部への露出の回避が特に重要である。それ故、第９の形態は、給電側連結面に取り付けてあるシート部材よりも外部に給電端子が突出するように構成されている場合（第２の形態参照）において、特に奏功的である。
【００３６】
この発明の第９の形態によれば、プラグをコンテナに取り付けるまたは取り外す際に必要になるハンドル部材が着脱可能なので、プラグをコンテナに設置した後そのコンテナを搬送する際に、ハンドルの存在が邪魔にならない。また、プラグとは別の場所に保管することができる。それ故、第１０の形態によれば、プラグをコンテナに設置しても当該コンテナの搬送に大きな支障を与えずに済み、ハンドルを管理することにより、コンテナにおけるプラグの着脱を管理することができる。ハンドルを鍵代わりに使用すれば、セキュリティを高めることもできる。
【００３７】
この発明の第１０の形態によれば、コンテナにおけるプラグの着脱を作業者の人力で行う際、作業者が把持部材を手で把持することができるので、着脱作業を行い易くなる。この形態は、プラグが、作業者の人力により搬送可能なほど軽量である場合に特に奏功的である。
【図面の簡単な説明】
【００３８】
【図１】（ａ）はコンテナが収容されたコンテナ貯蔵棚を示す正面図であり、（ｂ）は冷却装置を備えるコンテナを示す外観斜視図であり、（ｃ）は、すみ金具の開孔部を示す正面図である。
【図２】プラグを示す斜視図である。
【図３】プラグを示す底面図である。
【図４】錠部材とプラグ本体との取り付け構造を示す底面図である。
【図５】錠部材を固定位置に回転させたプラグを示す斜視図である。
【図６】すみ金具と相対して配したプラグを示す斜視図である。
【図７】錠部材をすみ金具の開孔部に挿入したプラグを示す部分切り欠き斜視図である。
【図８】ハンドルよるすみ金具へのプラグの固定方法を示す斜視図である。
【図９】錠部材によりすみ金具に固定されたプラグを示す部分切り欠き斜視図である。
【図１０】図９のＡ−Ａ線断面図である。
【図１１】閉蓋後のレセプタクルを示す斜視図である。
【図１２】開蓋途中のレセプタクルを示す正面図である。
【図１３】開蓋後のレセプタクルを示す斜視図である。
【図１４】開蓋後のレセプタクルを示す平面図である。
【図１５】レセプタクルの真上に、プラグを取り付けたコンテナを搬送した状態を示す斜視図である。
【図１６】図１４のＡ矢視図である。
【図１７】コンテナの下降に伴うレセプタクルの開蓋状態を示す斜視図である。
【図１８】レセプタクルの開蓋が完了した状態を示す斜視図である。
【図１９】図１８のＢ矢視図である。
【発明を実施するための形態】
【００３９】
以下、この発明に係る電気供給のための接続機構を、上述したコンテナ倉庫の電気供給機構に適用した場合について、図面を参照しながら説明する。なお、この発明は、以下に説明するような、コンテナに着脱可能なプラグを備える接続機構に限定されず、コンテナ倉庫の電気供給機構に適用される接続機構にも限定されないことはいうまでもない。
【００４０】
図１（ａ）は、コンテナが収容されたコンテナ貯蔵棚を示す正面図、図１（ｂ）は、冷却装置を備えるコンテナを示す外観斜視図、図１（ｃ）は、すみ金具の開孔部を示す正面図である。
【００４１】
図１（ａ）、（ｂ）において、２００は、電動装置２０２を具備するコンテナである。コンテナ２００の各面の四隅には、縦長の開孔部２０４が形成されたすみ金具２０３が取り付けられている。２０５は、コンテナ貯蔵棚１０３ａの、すみ金具２０３に対応する床面２０６上に固定された台座であり、台座２０５上にコンテナ２００が載置される。台座２０５の上面には、位置決め用の突起２０７（図１６参照）が突設され、突起２０７は、コンテナ載置時にコンテナ２００の下面に取り付けられたすみ金具２０３の開孔部２０４内に挿入される。
【００４２】
１は、電気供給機構である。電気供給機構１は、すみ金具２０３が台座２０５に配置されているとき、すなわち、コンテナ２００が台座２０５上に載置されているとき、電源２から電動装置２０２に電気を電源ケーブル（図１（ａ）中、一点鎖線で示す）を介して供給する。電気供給機構１は、すみ金具２０３に着脱可能なプラグ（受電装置）３と、プラグ３と電気的に接続して電源２からの電気を電動装置２０２に供給するレセプタクル（給電装置）４とからなっている。
【００４３】
（プラグ）
プラグ３を、図面を参照しながら説明する。
【００４４】
図２は、プラグを示す斜視図、図３は、プラグを示す底面図、図４は、錠部材とプラグ本体との取り付け構造を示す底面図、図５は、錠部材を固定位置に回転させたプラグを示す斜視図、図６は、すみ金具と相対して配したプラグを示す斜視図、図７は、錠部材をすみ金具の開孔部に挿入したプラグを示す部分切り欠き斜視図、図８は、ハンドルによるすみ金具へのプラグの固定方法を示す斜視図、図９は、錠部材によりすみ金具に固定されたプラグを示す部分切り欠き斜視図、図１０は、図９のＡ−Ａ線断面図である。
【００４５】
図２から図１０に示すように、プラグ３は、起倒自在な把持部材としての取っ手５により持ち運び可能な箱状プラグ本体６と、プラグ本体６内の下部にプラグ本体６の下面側に露出して設けられた受電端子７および短絡用部材８（図３参照）と、プラグ本体６をコンテナ２００のすみ金具２０３に固定する錠部材９と、プラグ本体６の下部両側面に、この側面から突出して固定された一対の当板１０と、プラグ本体６の上面に設けられた、受電端子７と電気的に接続された、電動装置２０２のコンセント１１とを備えている。
【００４６】
プラグ本体６は、その下面に、受電端子７および短絡用部材８の周囲を取り囲むように配置された受電側連結面を有し、受電側連結面上には、例えばゴムにより構成されるシート部材６ａが取り付けられている（図３参照）。なお、受電側連結面は、シート部材６ａにより覆われているので図示されていない。受電端子７は、シート部材６ａより外側に突出しないように構成されている。
【００４７】
受電側連結面は、コンテナ２００が台座２０５上に載置されているとき、シート部材６ａを介して後述するレセプタクル４の給電側連結面のシート部材と面接触する。これによって、受電端子７、後述する給電端子、短絡用部材８および後述する連結検知用端子並びに受電端子７と給電端子との面接触部分および短絡用部材８と連結検知用端子との接触部分は、それぞれ同時に、レセプタクル４とプラグ３と間の閉じた空間内に閉じ込められて、これらが外部から遮蔽され、これにより併せて防塵や防水も実現される。
【００４８】
また、このとき、受電側連結面が給電側連結面の上方側に配置されるので、コンテナ２００およびプラグ３の自重による付勢により受電側連結面がシート部材６ａを介して給電側連結面のシート部材に強く押し付けられ、両連結面の面接触および受電端子７と給電端子との面接触が移動不能且つ強固に維持される。従って、従来のような複雑な端子接続構造、即ち凹状の受電端子と凸状の給電端子との嵌合構造を採用するまでもない。
【００４９】
従って、比較的簡単な手法によりレセプタクル４とプラグ３とを電気的に接続することができ、且つ、その電気的な接続を安全且つ確実に維持することができる電気供給機構１を備えるコンテナ倉庫を実現することができる。
【００５０】
なお、シート部材６ａは、上述のように、ゴムなどにより構成されているので、滑り止めの機能も果たすので、プラグ３を棚や床に置いたときの滑りや落下の防止に役立つ。
【００５１】
すみ金具２０３と接する側のプラグ本体６の側面には、当接部材３２が取り付けられている。当接部材３２は、プラグ本体６をすみ金具２０３に固定する際、すみ金具２０３と密着することによって、後述する回転軸がすみ金具２０３に対して直角に配されるようにする機能を有している。
【００５２】
受電端子７は、レセプタクル４の給電端子と互いに面接触可能である。受電端子７は、給電端子が後述するように弾性的に移動可能であるのに対して、移動不能に構成されている。受電端子７の端子面は、給電端子の端子面よりも面積が大きい平板からなっている。これによって、受電端子７が下方に移動して給電端子に接触するとき、凹状の受電端子と凸状の給電端子とが嵌合する場合に比べて接触不良が起こり難く、受電端子７と給電端子との相対的な位置合わせを行うための調心機構を設けるまでもない。従って、プラグ３およびレセプタクル４は、何れも従来に比して構造が簡単になり、特にレセプタクル４は小型になるので、プラグ３を取り扱う作業者の負担を軽減でき、コンテナ貯蔵棚１０３ａという限られた空間へのレセプタクル４の設置も比較的容易になる。そして、総じて比較的小型の電気供給機構１を備えるコンテナ倉庫を実現することができる。
【００５３】
短絡用部材８は、受電端子７と給電端子とが接触し、これによりプラグ３とレセプタクル４との電気的接続が確立した後に、短絡用部材８とレセプタクル４の連結検知用端子とを導通させて、レセプタクル４からプラグ３に電気を供給する機能を有している。従って、レセプタクル４からプラグ３に電気を安全に供給することができる電気供給機構１を備えるコンテナ倉庫を実現することができる。連結検知用端子と接触可能な短絡用部材８の短絡面は、銅板などの導電性に優れた金属製平板からなるので、連結検知用端子と短絡用部材８との間で接触不良が起こり難く、そのため、受電端子７と給電端子とが接触し、これによりプラグ３とレセプタクル４との電気的接続が確立されたにも拘らず、レセプタクル４からプラグ３に電気が供給されないといった動作不良も起こり難い。これによって、レセプタクル４からプラグ３に電気を安全に供給することができる電気供給機構１を備えるコンテナ倉庫を実現することができる。
【００５４】
錠部材９は、座金１２と係合部材１３とからなり、係合部材１３には、後述する回転軸に配されたスプリング３１（図４参照）により座金１２側への押し込み力が付勢されている。座金１２は、プラグ本体６の、プラグ３が固定されるすみ金具２０３と接する側の側面に、この側面から突出して設けられている。座金１２は、すみ金具２０３に形成された縦長楕円形状の開孔部２０４とほぼ同寸の縦長楕円形状部材に凹部１２ａを形状したものからなり、プラグ本体６をすみ金具２０３に固定する際に開孔部２０４内に挿入される。係合部材１３は、開孔部２０４とほぼ同寸の楕円形状部材の長軸側の周面にテーパー面１３ａを形成したものからなっている。テーパー面１３ａは、プラグ本体６側に向かって縮径するように形成されている。このように係合部材１３にテーパー面１３ａを形成することによって、係合部材１３は、その一部が座金１２の凹部１２ａ内に入り込んだ状態で凹部１２ａ内において回転可能になっている。係合部材１３には、回転軸１４が取り付けられ、回転軸１４の一端部は、係合部材１３が取り付けられた側面と反対側の側面から水平に突出している。回転軸１４は、プラグ本体６内に取り付けられたスリーブ管３３内に挿通され、プラグ本体６内の配線などと干渉しないようになっている。プラグ本体６から突出した回転軸１４の一端部にハンドル１５を装着して、係合部材１３を回転させることができる（図５参照）。ハンドル１５を着脱可能にすることによって、プラグ３をコンテナ２００に設置した後そのコンテナ２００を搬送する際に、ハンドル１５の存在が邪魔にならない。また、プラグ３とは別の場所に保管することができる。それ故、プラグ３をコンテナ２００に設置しても当該コンテナ２００の搬送に大きな支障を与えずに済み、ハンドル１５を管理することにより、コンテナ２００におけるプラグ３の着脱を管理することができる。ハンドル１５を鍵代わりに使用すれば、セキュリティを高めることもできる。
【００５５】
錠部材９によるプラグ３のすみ金具２０３への固定方法を説明する。
【００５６】
係合部材１３を座金１２と同じ向きに回転させた状態で（図２参照）、すみ金具２０３と錠部材９とが相対するようにプラグ３をセットし（図６参照）、座金１２を係合部材１３とともにすみ金具２０３の開孔部２０４内に挿入する（図７参照）。プラグ３の持ち運びは、取っ手５により容易に行える。この後、回転軸１４にハンドル１５を装着して係合部材１３を回転させると（図８参照）、開孔部２０４の内側縁部とテーパー面１３ａとが接触する。さらに係合部材１３を回転させると、係合部材１３のテーパー面１３ａは、開孔部２０４の内側縁部に沿って摺動し、係合部材１３は、スプリング３１の弾性力に抗して凹部１２ａから突出方向にスライドする。かくして、係合部材１３は、開孔部２０４の内側縁部にスプリング３１の弾性力によって押し付けられる（図９、図１０参照）。これにより、プラグ３は、錠部材９によってすみ金具２０３に緩むことなく係合し確実に固定される。プラグ３の取り外しに際しては、ハンドル１５を逆方向に回転させれば良い。プラグ３の取り外しに際して、ハンドル１５をスプリング３１の弾性力に抗して押し込んで、係合部材１３と開孔部２０４との係合を解除すれば、ハンドル１５の逆方向の回転が容易に行える。ハンドル１５の押し込み操作は、プラグ３の取り付け時に行っても良い。
【００５７】
当板１０は、レセプタクル４の後述するリンク機構を回動させて、レセプタクル４の蓋を開くものである。当板１０とリンク機構との関係については、後述するレセプタクル４のところで説明する。
【００５８】
（レセプタクル）
レセプタクル４を、図面を参照しながら説明する。
【００５９】
図１１は、閉蓋後のレセプタクルを示す斜視図、図１２は、開蓋途中のレセプタクルを示す正面図、図１３は、開蓋後のレセプタクルを示す斜視図、図１４は、開蓋後のレセプタクルを示す平面図である。
【００６０】
図１１から図１４に示すように、レセプタクル４は、基台１６に取り付けられた箱状のレセプタクル本体１７と、レセプタクル本体１７内の上部に上向きに設けられた給電端子１８および連結検知用端子１９（図１３、図１４参照）と、給電端子１８および連結検知用端子１９の露出と遮蔽を行う蓋２０とを備えている。レセプタクル４は、レセプタクル本体１７の両側に配されたスプリング２１を介して上下動可能に基台１６に取り付けられている。基台１６は、コンテナ貯蔵棚１０３ａの床面２０６に固定される。
【００６１】
レセプタクル本体１７をスプリング２１を介して基台１６に取り付ける理由は、以下の通りである。
【００６２】
コンテナ２００が下降してプラグ３がレセプタクル４と接触する際、スプリング２１の弾性力に抗してレセプタクル４全体が沈み込む。これによって、給電端子１８および連結検知用端子１９の周囲を取り囲むように配置された後述する給電側連結面とプラグ３の後述する受電側連結面との面接触が確実なものとなる。
【００６３】
レセプタクル本体１７は、その上面に、給電端子１８および連結検知用端子１９の周囲を取り囲むように配置された給電側連結面を有し、給電側連結面上には、例えばゴムにより構成されるシート部材１７ａが取り付けられている（図１３、図１４参照）。なお、給電側連結面は、シート部材１７ａにより覆われているので図示されていない。給電端子１８は、シート部材１７ａより外側に突出するように構成されている。
【００６４】
給電側連結面は、コンテナ２００が台座２０５上に載置されているとき、シート部材１７ａを介してプラグ３の受電側連結面のシート部材６ａと面接触する。これによって、受電端子７、給電端子１８、短絡用部材８および連結検知用端子１９並びに受電端子７と給電端子１８との面接触部分および短絡用部材８と連結検知用端子１９との接触部分は、それぞれ同時に、レセプタクル４とプラグ３と間の閉じた空間内に閉じ込められ、外部から遮蔽され、これにより併せて防塵や防水も実現される。
【００６５】
給電端子１８は、スプリング（図示せず）により上方に突出する力が付勢されており、コンテナ２００が台座２０５上に載置されているとき、プラグ３の受電端子７と面接触する。給電端子１８と受電端子７との接触は、前記スプリングによる弾性力により確実に行われる。連結検知用端子１９は、プラグ３の短絡用部材８との接触による電気的導通を検知したとき、レセプタクル４からプラグ３に電気を供給する機能を有している。すなわち、受電端子７と接触していないときの連結検知用端子１９の高さは、給電端子１８の高さより低く構成され、給電端子１８と受電端子７とが接触し、これによりレセプタクル４とプラグ３との電気的接続が確立した後に、連結検知用端子１９と短絡用部材８とが電気的に導通し、電源２からの電気がレセプタクル４からプラグ３に供給され、そして、プラグ３から電動装置２０２に確実に供給されるようになっている。
【００６６】
蓋２０は、レセプタクル本体１７の両側に軸支された一対のアーム２２に取り付けられている。アーム２２は、蓋２０とともに後述するリンク機構によって回動し、かくして、蓋２０により給電端子１８および連結検知用端子１９の露出と遮蔽が行われる。
【００６７】
リンク機構２３は、スライダ・クランク機構からなっている。すなわち、頂部にローラー２４が取り付けられた短尺レバー２５と、ガイド溝２６ａが形成された長尺レバー２６とを連結軸２７を介してくの字状に連結したものからなっている。このように構成されているリンク機構２３がレセプタクル本体１７の両側に連結軸２７を介して回動自在に取り付けられている。長尺レバー２６同士は、連結バー２８により連結され、一体的に回動する。連結軸２７には、リンク機構２３に常時、閉蓋方向（図１２中、矢印Ａ方向）の力を付勢するスプリング２９が取り付けられている。蓋２０の両側面には、ピン３０が設けられ、ピン３０は、長尺レバー２６のガイド溝２６ａと係合し、リンク機構２３の回動に伴いガイド溝２６ａに沿ってスライドする。
【００６８】
リンク機構２３によれば、コンテナ２００とともに下降するプラグ３が短尺レバー２５を押し下げると、長尺レバー２６がスプリング２９の弾性力に抗して開蓋方向（図１２中、矢印Ｂ方向）に回動する。長尺レバー２６が回動すると、ピン３０が長尺レバー２６のガイド溝２６ａの一端（図１２中、左側）から他端（図１２中、右側）に向かってスライドする結果、蓋２０は、開き始め（図１２参照）、さらにプラグ３が下降すると、蓋２０は、完全に開いて、給電端子１８および連結検知用端子１９がレセプタクル本体１７から露出する（図１３、図１４参照）。
【００６９】
一方、コンテナ２００とともにプラグ３が上昇すると、スプリング２９の弾性力によって短尺レバー２５が長尺レバー２６とともに開蓋方向に回動する。長尺レバー２６が回動すると、ピン３０が長尺レバー２６のガイド溝２６ａの他端から一端にスライドする結果、蓋２０は、完全に閉じる（図１１参照）。
【００７０】
リンク機構２３によれば、レセプタクル４の蓋２０が水平方向にスライドして開閉動作を行う場合に比べて、狭い空間内で開閉動作を行うことができる。従って、レセプタクル４の大型化を抑えることができ、コンテナ貯蔵棚１０３ａという限られた空間へのレセプタクル４の設置も比較的容易になる。上述したプラグ３の上下方向の移動に伴う短尺レバー２５の回動は、ローラー２４を介して円滑に行われる。
【００７１】
このように、レセプタクル４はプラグ３の上下方向の接近と離隔に対応する開閉動作に伴い給電端子の露出と遮蔽を行う蓋２０を備えているので、従来のようにレセプタクルが備える蓋の開閉動作のためにコンテナの上下方向の位置決めを行う必要がなく、そのコンテナを水平方向に移動させる必要もない。そして、プラグ３が取り付けられたコンテナ２００を上下方向に移動させるだけで、蓋２０の開閉、従って給電端子を露出と遮蔽と、給電端子と受電端子との接触とその解除とを行うことができる。両端子の位置合わせのために、従来のような調心機構も必要としない。従って、比較的簡単な手法、即ちコンテナを上下方向に移動させるだけでプラグとレセプタクルとの電気的な接続とその解除を安全に行うことができる電気供給機構１を備えるコンテナ倉庫を実現することができる。
【００７２】
また、蓋２０の開閉動作に伴い連結検知用端子１９の露出と遮蔽が起こるので、プラグ３とレセプタクル４との電気的な接続状態を検知する必要がないときに、連結検知用端子１９が短絡用部材８以外の部材と接触して導通するような不測の事態（従って、受電端子７と給電端子１８との間に無用な電圧がかかるような事態）の発生を防止することができる。
【００７３】
次に、電動装置を具備するコンテナのコンテナ倉庫への収容方法を、図面を参照しながら説明する。
【００７４】
図１５は、レセプタクルの真上に、プラグを取り付けたコンテナを搬送した状態を示す斜視図、図１６は、図１５のＡ矢視図、図１７は、コンテナの下降に伴うレセプタクルの開蓋状態を示す斜視図、図１８は、レセプタクルの開蓋が完了した状態を示す斜視図、図１９は、図１８のＢ矢視図である。
【００７５】
先ず、所定のコンテナ貯蔵棚１０３ａの床面２０６上に固定された台座２０５の外側にレセプタクル４を固定するとともに、コンテナ２００のすみ金具２０３にプラグ３を取り付ける（図１参照）。このとき、電動装置２０２の電源プラグ（図示せず）をプラグ３のコンセント１１に差し込んでおく。なお、電源プラグは、コンテナ２００が台座２０５上に載置された後にコンセント１１に差し込んでも良い。
【００７６】
次いで、プラグ３が取り付けたコンテナ２００を、上述したコンテナ搬送装置により、プラグ３の直下にレセプタクル４が位置するようにコンテナ貯蔵棚１０３ａ内に搬送する（図１５、図１６参照）。次いで、コンテナ２００を下降させる。コンテナ２００に伴い、プラグ３の当板１０によりレセプタクル４の短尺レバー２５が押し下げられ、これにより蓋２０がリンク機構２３により開き始める（図１７参照）。
【００７７】
このようにして、コンテナ２００が台座２０５上に完全に載置されると、レセプタクル４の蓋２０が完全に開き、レセプタクル４の給電端子１８とプラグ３の受電端子７とが接触する（図１８、図１９参照）。従って、電動装置２０２の電源をオンすれば、電源２からの電気がレセプタクル４とプラグ３を介して電動装置２０２に供給される（図１参照）。
【００７８】
この際、受電端子７と給電端子１８とが接触し、これによりプラグ３とレセプタクル４との電気的接続が確立した後に、短絡用部材８と連結検知用端子１９とが導通し、レセプタクル４からプラグ３へと電気が供給されるので、レセプタクル４からプラグ３に電気を安全に供給することができる。
【００７９】
このようにして、電動装置を具備するコンテナのコンテナ倉庫への収容が完了する。
【符号の説明】
【００８０】
１：電気供給機構
２：電源
３：プラグ
４：レセプタクル
５：取っ手
６：プラグ本体
６ａ：受電側連結面
７：受電端子
８：短絡用部材
９：錠部材
１０：当板
１１：コンセント
１２：座金
１２ａ：凹部
１３：係合部材
１３ａ：テーパー面
１４：回転軸
１５：ハンドル
１６：基台
１７：レセプタクル本体
１７ａ：給電側連結面
１８：給電端子
１９：連結検知用端子
２０：蓋
２１：スプリング
２２：アーム
２３：リンク機構
２４：ローラー
２５：短尺レバー
２６：長尺レバー
２６ａ：ガイド溝
２７：連結軸
２８：連結バー
２９：スプリング
３０：ピン
３１：スプリング
３２：当接部材
３３：スリーブ管
【図１】
0005746925.tif 000002
【図２】
0005746925.tif 000003
【図３】
0005746925.tif 000004
【図４】
0005746925.tif 000005
【図５】
0005746925.tif 000006
【図６】
0005746925.tif 000007
【図７】
0005746925.tif 000008
【図８】
0005746925.tif 000009
【図９】
0005746925.tif 000010
【図１０】
0005746925.tif 000011
【図１１】
0005746925.tif 000012
【図１２】
0005746925.tif 000013
【図１３】
0005746925.tif 000014
【図１４】
0005746925.tif 000015
【図１５】
0005746925.tif 000016
【図１６】
0005746925.tif 000017
【図１７】
0005746925.tif 000018
【図１８】
0005746925.tif 000019
【図１９】
0005746925.tif 000020